(57)【要約】【課題】  トイレルーム内に配設された電気器具の合計電力を、トイレルーム使用者の快適感を極力損なうことなく、所定値以下に制御するための具体策を提供する。【解決手段】  トイレ内に配設された温水洗浄便座と電気温水器と温風暖房器の合計電力又は温水洗浄便座と温風暖房器の合計電力又は温水洗浄便座の電力を測定する電力測定手段と、電力測定値に基づいて電気温水器と温風暖房器とへの電力供給を制御する電力供給制御手段とを備え、電力供給制御手段は、電気温水器への電力供給をＯＮ／ＯＦＦ制御し、温風暖房器への電力供給を可変制御する。【選択図】  図４
2007020290.tif 000002
【特許請求の範囲】
【請求項１】
トイレ内に配設された温水洗浄便座と電気温水器と温風暖房器の合計電力又は温水洗浄便座と温風暖房器の合計電力又は温水洗浄便座の電力を測定する電力測定手段と、電力測定値に基づいて電気温水器と温風暖房器とへの電力供給を制御する電力供給制御手段とを備え、電力供給制御手段は、電気温水器への電力供給をＯＮ／ＯＦＦ制御し、温風暖房器への電力供給を可変制御することを特徴とする電力制御装置。
【請求項２】
温風暖房器は消費電力制御手段を有し、電力供給制御手段は、消費可能電力量を温風暖房器へ通信し、温風暖房器の消費電力制御手段は受信した消費可能電力量に基づいて、消費電力を可変制御することを特徴とする請求項１に記載の電力制御装置。
【請求項３】
電力供給制御手段は、温水洗浄便座と電気温水器と温風暖房器の合計電力が許容値を超えると、先ず電気温水器への電力供給を停止し、当該停止後も前記合計電力が許容値を超える場合は、温風暖房器への電力供給を可変的に低減させることを特徴とする請求項１又は２に記載の電力制御装置。
【請求項４】
電力供給制御手段は、温水洗浄便座と温風暖房器の合計電力が許容値になるように、温風暖房器への電力供給を可変制御することを特徴とする請求項３に記載の電力制御装置。
【請求項５】
電気温水器への電力供給を停止中であることを表示する表示手段を備えることを特徴とする請求項１乃至４の何れか１項に記載の電力制御装置。
【請求項６】
温風暖房器への電力供給を可変制御中であることを表示する表示手段を備えることを特徴とする請求項１乃至５の何れか１項に記載の電力制御装置。
【請求項７】
電気温水器への電力供給を停止する際の合計電力の閾値よりも、電気温水器への電力供給を再開する際の合計電力の閾値が低いことを特徴とする請求項１乃至６の何れか１項に記載の電力制御装置。
【請求項８】
電力供給制御手段は、電気温水器への電力供給を停止した後、所定時間が経過するまで電気温水器への電力供給を再開しないことを特徴とする請求項１乃至７の何れか１項に記載の電力制御装置。
【請求項９】
請求項１乃至８の何れか１項に記載の電力制御装置を備えるトイレ用キャビネット。
【発明の詳細な説明】
【技術分野】
【０００１】
本発明は、電力制御装置に関するものである。
【背景技術】
【０００２】
トイレルーム内に設置される電気器具の数と種類とが近年急増する傾向にあり、他方トイレルームに割り当てられる電気回路は通常１回路であって許容電力量は１５００Ｗなので、トイレルーム内に設置される電気器具の合計電力を如何にして１５００Ｗ以下に制御するかが、喫緊の課題になっている。
本体と、本体に接続可能なオプションユニットと、本体とオプションユニットとへの電力分配を最適化する最適化手段とを備え、本体とオプションユニットの合計電力を所定値以下に制御する衛生洗浄便座が特許文献１に開示されている。
総使用電力が契約電流容量を超えた時、遮断優先順位に従って電気器具への給電を選択的に遮断する給電遮断システムが特許文献２に開示されている。
【特許文献１】特開平１０−２９５０３９号公報
【特許文献２】特許第２８１４１９０号公報
【発明の開示】
【発明が解決しようとする課題】
【０００３】
特許文献１には、電力分配の最適化の具体像は開示されていない。
特許文献２の給電遮断システムには、電気器具への給電制御がＯＮ／ＯＦＦ制御なので、電気器具の突然の停止により当該器具の使用者の快適感を損なうという問題がある。
本発明は上記課題に鑑みてなされたものであり、トイレルーム内に配設された電気器具の合計電力を、トイレルーム使用者の快適感を極力損なうことなく、所定値以下に制御するための具体策を提供することを目的とする。
【課題を解決するための手段】
【０００４】
上記課題を解決するために、本発明においては、トイレ内に配設された温水洗浄便座と電気温水器と温風暖房器の合計電力又は温水洗浄便座と温風暖房器の合計電力又は温水洗浄便座の電力を測定する電力測定手段と、電力測定値に基づいて電気温水器と温風暖房器とへの電力供給を制御する電力供給制御手段とを備え、電力供給制御手段は、電気温水器への電力供給をＯＮ／ＯＦＦ制御し、温風暖房器への電力供給を可変制御することを特徴とする電力制御装置を提供する。
トイレルームに配設される電気器具として、温水洗浄便座、手洗器に湯を供給する電気温水器、温風暖房器、室内灯、換気扇等が挙げられる。
上記電気器具中、室内灯や換気扇等は消費電力が小さく電力供給制御にもなじまないので、電力供給制御の対象外とするのが望ましい。
温水洗浄便座はマイコンで制御されているので、電力供給を停止すると各種設定値が初期化され、電力供給再開後の作動が所期の作動からずれ、トイレ使用者の快適感を損なうという不具合を生ずる。また、電力供給を可変制御すると洗浄水の温度が変化してトイレ使用者の快適感を損なうという不具合を生ずる。従って温水洗浄便座に対しては電力供給制御を行なわないのが望ましい。
電気温水器は貯湯タンク内に湯を溜めているので、短時間であれは電力供給を停止しても、貯湯タンク内の湯温は殆ど低下せず、トイレ使用者の快適感を損なわない。従って、電気温水器に対しては、単純に電力供給をＯＮ／ＯＦＦ制御するのが、電力供給制御の簡略化の観点から望ましい。
温風暖房器は電気温水器のように熱容量の大きな熱媒体を有さないので、電力供給を単純にＯＮ／ＯＦＦ制御すると、温風温度が急変してトイレルーム使用者の快適感を損なう。他方、温風暖房器への電力供給を可変制御して段階的或いは連続的に減少させる場合には、温風温度は急変しないので、トイレルーム使用者の快適感の毀損を極力防止することができる。
上記諸点を勘案して、本発明においては、消費電力の小さな電気器具と温水洗浄便座に対しては電力供給制御を行なわず、電気温水器への電力供給をＯＮ／ＯＦＦ制御し、温風暖房器への電力供給を可変制御することとした。上記構成により、トイレルーム内に配設された電気器具の合計電力を、トイレルーム使用者の快適感を極力損なうことなく、所定値以下に制御することができる。
温水洗浄便座の消費電力は温水設定温度、便座設定温度、水道水温度、トイレ内温度等に応じて変化すること、電力供給制御される電気温水器と温風暖房器の消費電力は既知であることを勘案すると、電力測定は、基本的に温水洗浄便座のみに対して行なえば良いが、電力供給を可変制御する温風暖房器も電力測定の対象に加えても良く、更に電力供給をＯＮ／ＯＦＦ制御する電気温水器も電力測定の対象に加えても良い。
本発明に係る電力制御装置をトイレルーム内に配設してトイレルームの既設のコンセントに接続し、トイレ内に配設した温水洗浄便座、電気温水器、温風暖房器を電力制御装置のコンセントに接続するだけで、電気工事を要することなく、トイレルーム内に設置された電気器具の合計電力を１５００Ｗ以下に制御することができる。
【０００５】
本発明の好ましい態様においては、温風暖房器は消費電力制御手段を有し、電力供給制御手段は、消費可能電力量を温風暖房器へ通信し、温風暖房器の消費電力制御手段は受信した消費可能電力量に基づいて、消費電力を可変制御する。
電力制御装置が温風暖房器への供給電力を直接制御するように電力制御装置を構成しても良いが、消費電力制御手段を温風暖房器に配設し、電力供給制御手段は、消費可能電力量を温風暖房器に指示し、温風暖房器の消費電力制御手段に消費電力を可変制御させることにより、間接的に温風暖房器の電力供給を可変制御するように電力制御装置を構成しても良い。
【０００６】
本発明の好ましい態様においては、電力供給制御手段は、温水洗浄便座と電気温水器と温風暖房器の合計電力が許容値を超えると、先ず電気温水器への電力供給を停止し、当該停止後も前記合計電力が許容値を超える場合は、温風暖房器への電力供給を可変的に低減させる。
トイレルーム使用者の快適感に与える影響の少ない電気器具から優先的に電力供給制御を開始することにより、トイレルーム使用者の快適感を極力損なうことなく、トイレルーム内に設置される電気器具の合計電力を１５００Ｗ以下に制御することができる。
【０００７】
本発明の好ましい態様においては、電力供給制御手段は、温水洗浄便座と温風暖房器の合計電力が許容値になるように、温風暖房器への電力供給を可変制御する。
温水洗浄便座の消費電力は、洗浄水温度の設定値、水道水温度、トイレルーム温度等に応じて変化するので、電気温水器への電力供給を停止して温風暖房器への電力供給を可変制御する際には、温水洗浄便座と温風暖房器の合計電力が許容値になるように、温風暖房器への電力供給を可変制御すれば、温風温度の低下を極力抑制することができ、トイレルーム使用者の快適感を極力毀損することなく、トイレルーム内に設置された電気器具の合計電力を１５００Ｗ以下に制御することができる。
【０００８】
本発明の好ましい態様においては、電力制御装置は、電気温水器への電力供給を停止中であることを表示する表示手段を備える。
本発明の好ましい態様においては、電力制御装置は、温風暖房器への電力供給を可変制御中であることを表示する表示手段を備える。
電気温水器への電力供給を停止中であることを表示し、或いは温風暖房器への電力供給を可変制御中であることを表示して、電気器具が故障したのではないことをトイレルーム使用者に告知することにより、不信感から生ずるトイレルーム使用者の快適感の毀損を防止することができる。
【０００９】
本発明の好ましい態様においては、電気温水器への電力供給を停止する際の合計電力の閾値よりも、電気温水器への電力供給を再開する際の合計電力の閾値が低い。
本発明の好ましい態様においては、電力供給制御手段は、電気温水器への電力供給を停止した後、所定時間が経過するまで電気温水器への電力供給を再開しない。
電気温水器への電力供給を停止する際の合計電力の閾値よりも、電気温水器への電力供給を再開する際の合計電力の閾値を低く設定し、或いは電気温水器への電力供給を停止した場合には、所定時間が経過するまで電気温水器への電力供給を再開させないことにより、電気温水器への電力供給のＯＮ／ＯＦＦが頻繁に繰り返されて、電気温水器への電力供給をＯＮ／ＯＦＦするリレーが劣化する事態の発生が防止される。
【００１０】
本発明においては、上記何れかの電力制御装置を備えるトイレ用キャビネットを提供する。
本発明に係るトイレ用キャビネットは、トイレルーム内に配設された電気器具の合計電力を、トイレルーム使用者の快適感を極力損なうことなく、所定値以下に制御することができる。
【発明の効果】
【００１１】
電気温水器への電力供給をＯＮ／ＯＦＦ制御し、温風暖房器への電力供給を可変制御することにより、トイレルーム内に配設された電気器具の合計電力を、トイレルーム使用者の快適感を極力損なうことなく、所定値以下に制御することができる。
本発明に係る電力制御装置をトイレルーム内に配設してトイレルームの既設のコンセントに接続し、トイレ内に配設した温水洗浄便座、電気温水器、温風暖房器を電力制御装置のコンセントに接続するだけで、電気工事を要することなく、トイレルーム内に設置された電気器具の合計電力を１５００Ｗ以下に制御することができる。
【発明を実施するための最良の形態】
【００１２】
本発明の実施例に係る電力制御装置を説明する。
【実施例１】
【００１３】
図１に示すように、トイレルーム内に水洗便器１が配設されている。水洗便器１に温水洗浄便座２が取り付けられている。水洗便器１に接続する給水管と排水管とを収容する大便器キャビネット３が水洗便器１の背後に配設されている。自動水栓４ａを有する手洗器４が水洗便器１の右側方前方に配設され、手洗器４の下方に手洗キャビネット５が配設されている。手洗キャビネット５に温風吹出口５ａが形成されている。手洗キャビネット５の天板と大便器キャビネット３の天板とを連結するカウンター６が、水洗便器１の右側方に配設されている。カウンター６の下面に、大便器キャビネット３内に配設された給水管と排水管とから分岐して手洗器４に接続する給水管と排水管とを収容するダクト７と、トイレットペーパー保持具８とが取り付けられている。
【００１４】
図２に示すように、自動水栓４ａに供給する水道水を加温するための電気温水器９と、温風暖房器１０と、コンセント１１ａ、１１ｂ、１１ｃを有する電力制御装置１１とが、手洗キャビネット５内に配設されている。電気温水器９の電源コード９ａはコンセント１１ａに接続し、温風暖房器１０の電源コード１０ａはコンセント１１ｂに接続し、自動水栓４ａの電源コード４ａ’はコンセント１１ｃに接続している。
電力制御装置１１から延びる電源コード１２が、ダクト７を通って大便器キャビネット３に侵入し、水洗便器１背後のトイレルーム側壁に配設された既設のコンセントＡに接続している。
電力制御装置１１から延びる電力供給コード１３が、ダクト７を通って大便器キャビネット３に侵入し、コンセント１４に接続している。温水洗浄便座２の電源コード２ａがコンセント１４に接続している。
【００１５】
図３に示すように、電力制御装置１１は、コンセント１１ａ〜１１ｃに加えて、配線１１ｄを介して電源コード１２に接続する電力供給制御回路１１ｅと、配線１１ｄを流れる電流値を測定する電流センサー１１ｆと、配線１１ｄとコンセント１１ａと電力供給制御回路１１ｅとに接続された強制ＯＦＦ用リレー１１ｇとを有している。電流センサー１１ｆは電力供給制御回路１１ｅに接続している。コンセント１１ｂは電力供給制御回路１１ｅに接続し、コンセント１１ｃは配線１１ｄに接続している。
【００１６】
水洗便器加温用ヒータ１５、トイレルーム内に配設された床暖房器１６、室内灯１７、換気扇１８が、既設のコンセントＡの手前でトイレルーム用電気回路から分岐した電源コードに接続されている。
【００１７】
温水洗浄便座２の消費電力は、待機時には６０Ｗ（マイコン制御部消費電力＋暖房便座消費電力）であり、稼働時には洗浄水設定温度、水道水温度等、トイレルーム内温度等に応じて９００Ｗ乃至１２８０Ｗの範囲で変化する。
温風暖房器１０の稼働時の最大消費電力は３００Ｗである。後述のごとく温風暖房器１０の消費電力は４Ｗ乃至３００Ｗの範囲で可変制御される。
電気温水器９の稼働時の消費電力は５００Ｗである。後述の如く電気温水器９の消費電力は０Ｗ又は５００ＷにＯＮ／ＯＦＦ制御される。
水洗便器加温用ヒータ１５の消費電力は４０Ｗであり、床暖房器１６の消費電力は６０Ｗであり、室内灯１７の消費電力は１００Ｗであり、換気扇１８の消費電力は１５Ｗであり、自動水栓４ａの消費電力（自動水栓４ａが有する赤外線サンサーの消費電力）は１Ｗである。
【００１８】
水洗便器加温用ヒータ１５、床暖房器１６、室内灯１７、換気扇１８、自動水栓４ａは、消費電力が小さく電力供給制御にもなじまないので、電力供給制御の対象外としている。従って、これらの電気器具は、トイレルームの使用・不使用に係わらず常時稼働している。
温水洗浄便座２はマイコンで制御されているので、電力供給を停止すると各種設定値が初期化され、電力供給再開後の作動が所期の作動からずれ、トイレ使用者の快適感を損なうという不具合を生ずる。また、電力供給を可変制御すると洗浄水の温度が変化してトイレ使用者の快適感を損なうという不具合を生ずる。従って温水洗浄便座２は、電力供給制御の対象外としている。
電気温水器９は貯湯タンク内に湯を溜めているので、短時間であれは電極供給を停止しても、貯湯タンク内の湯温は殆ど低下せず、トイレ使用者の快適感を損なわない。従って、電気温水器９に対しては、電飾供給制御の簡略化の観点から、単純に電力供給をＯＮ／ＯＦＦ制御することとしている。
温風暖房器１０は電気温水器９のように熱容量の大きな熱媒体を有さないので、電力供給を単純にＯＮ／ＯＦＦ制御すると、温風温度が急変してトイレルーム使用者の快適感を損なう。他方、温風暖房器１０への電力供給を可変制御して段階的或いは連続的に減少させる場合には、温風温度は急変しないので、トイレルーム使用者の快適感の毀損を極力防止することができる。従って、温風暖房器１０に対しては、電力供給を可変制御することとしている。
温水洗浄便座２の消費電力は温水設定温度、便座設定温度、水道水温度、トイレ内温度等に応じて変化すること、電力供給制御される電気温水器９と温風暖房器１０の消費電力は既知であることを勘案すると、電力測定は、基本的に温水洗浄便座２のみに対して行なえば良いが、電力供給を可変制御する温風暖房器１０も電力測定の対象に加えても良く、更に電力供給をＯＮ／ＯＦＦ制御する電気温水器９も電力測定の対象に加えても良い。本実施例では、温水洗浄便座２と電気温水器９と温風暖房器１０の合計電力を測定している（自動水栓４ａの電力も測定しているが、自動水栓４ａの消費電力は前記３者に対して無視し得る程度に微小であり、実質的に前記３者の合計電力を測定対象としている）。
【００１９】
図４のタイムチャートを参照しつつ、本実施例に係る電力制御装置１１の作動を説明する。
温水洗浄便座２は、稼働時以外は待機状態にありマイコン制御部と暖房便座とはトイレルームの使用・不使用に係わらず常時作動している。電気温水器９は、温水洗浄便座２の稼働時を除いて、常時稼働している。従って、トイレルームの利用者がトイレルームに入室した時点では、トイレルームの基礎合計電力は７７６Ｗである。電流センサー１１ｆからの検知信号を受信した電力供給制御回路１１ｅは、トイレルームの合計電力が７７６Ｗであることを認識している。
【００２０】
使用者が温風暖房器１０の始動スイッチをＯＮすると、使用可能電力に十分なゆとりがあると認識した電力供給制御回路１１ｅは、温風暖房器を最大出力で作動させる。手洗いキャビネット５に形成した温風吹出口５ａから使用者の足元へ向けて温風が噴き出し、使用者の脚部を温める。トイレルームの合計電力は１０７６Ｗになる。
【００２１】
使用者が脱衣した後、温水洗浄便座２に着座すると、当該着座を検知した温水洗浄便座２は、所定の短時間に亙って内蔵するヒータを最大出力で作動させて洗浄水タンク内の洗浄水を加温すると共に、洗浄水タンクから洗浄水吐出ノズルに至る流路に温水を供給して当該流路内の冷水を排出し、前記流路を形成する配管を予熱する。電流センサー１１ｆからの検知信号を受信した電力供給制御回路１１ｅは、トイレルームの合計電力が１５００Ｗを超えたことを認識し、直ちに強制ＯＦＦ用リレー１１ｇに制御信号を送信して電気温水器９への電力供給をＯＦＦする。
次いで、電流センサー１１ｆからの検知信号を受信した電力供給制御回路１１ｅは、トイレルームの合計電力がまだ１５００Ｗを超えていることを認識し、トイレルームの合計電力が１５００Ｗになるまで、温風暖房器１０の消費電力ひいては温風暖房器１０への電力供給を可変的に低下させる。この結果、温風暖房器１０への電力供給量は４Ｗまで低下する。トイレルームの合計電力は１５００Ｗになる。温風暖房器１０の機能は低下するが、機能低下時間は短時間なので、使用者の快適感が大きく損なわれるおそれは無い。
【００２２】
使用者の排便中は、温水洗浄便座２は待機状態に戻る。電力供給制御回路１１ｅは、温水洗浄便座２が待機状態に戻った後所定の短時間を経た時点で、温風暖房器１０への電力供給と電気温水器９への電力供給を再開する。温風暖房器１０が最大出力で稼働し、電気温水器が稼働する。この結果、トイレルームの合計電力は１０７６Ｗになる。
【００２３】
排便終了後に使用者が温水洗浄便座２の洗浄スイッチをＯＮすると、温水洗浄便座２の稼働が開始される。温水洗浄便座２のノズルから吐出する温水を用いて使用者はおしりを洗浄する。
電流センサー１１ｆからの検知信号を受信した電力供給制御回路１１ｅは、トイレルームの合計電力が１５００Ｗを超えたことを認識し、直ちに強制ＯＦＦ用リレー１１ｇに制御信号を送信して電気温水器９への電力供給をＯＦＦする。
次いで、電流センサー１１ｆからの検知信号を受信した電力供給制御回路１１ｅは、トイレルームの合計電力がまだ１５００Ｗを超えていることを認識する。電力供給制御回路１１ｅは、温風暖房器１０の消費電力ひいては温風暖房器１０への電力供給を、３００Ｗを超えない範囲で、トイレルームの許容電力である１５００Ｗから温水洗浄便座２、ヒータ１５、床暖房器１６、室内灯１７、換気扇１８、自動水栓４ａの消費電力を差し引いた値（１５００−温水洗浄便座２の消費電力−２１６）Ｗ、すなわち（１２８４−温水洗浄便座２の消費電力）Ｗに制御する。前述のごとく温水洗浄便座２の消費電力は、洗浄水設定温度、水道水温度等、トイレルーム内温度等に応じて９００Ｗ乃至１２８０Ｗの範囲で変化するので、温風暖房器１０への供給電力は４Ｗ乃至３００Ｗの範囲で可変制御される。この結果、トイレルームの合計電力は１４１６Ｗ乃至１５００Ｗの範囲に制御される。
温風暖房器１０は停止せず、温度はある程度低下しても温風吹出口５ａからの温風の噴き出しは停止しないので、使用者の快適感の毀損は最小限に抑制される。
【００２４】
使用者がおしり洗浄を終えて温水洗浄便座２から立ち上がると、温水洗浄便座２は一旦待機状態になり、その後短時間に亙って最大出力で稼働状態になってノズル洗浄を行ない、次いで待機状態になる。
電力供給制御回路１１ｅは、温水洗浄便座が一旦待機状態になった後所定の短時間を経た時点で、温風暖房器１０への電力供給と電気温水器９への電力供給を再開する。温風暖房器１０が最大出力で稼働し、電気温水器が稼働する。この結果、トイレルームの合計電力は１０７６Ｗになる。電力供給制御回路１１ｅは、温水洗浄便座２がノズル洗浄を開始すると直ちに電気温水器９への電力供給をＯＦＦし、次いで、トイレルームの合計電力が１５００Ｗになるまで、温風暖房器１０への電力供給を可変的に低下させる。この結果、トイレルームの合計電力は１５００Ｗになる。温風暖房器１０は停止せず、機能低下時間は短時間なので、使用者の快適感が大きく損なわれるおそれは無い。電力供給制御回路１１ｅは、温水洗浄便座２がノズル洗浄を終えて待機状態に戻った後所定の短時間を経た時点で、温風暖房器１０への電力供給と電気温水器９への電力供給を再開する。温風暖房器１０が最大出力で稼働し、電気温水器が稼働する。この結果、トイレルームの合計電力は１０７６Ｗになる。
【００２５】
使用者は、自動洗浄便座２から離れて着衣をした後、手洗器４の自動水栓４ａから温水を吐出させて手を洗う。
次いで使用者は、温風暖房器１０の始動スイッチをＯＦＦし、トイレルームから退室し、トイレルームのドアを閉める。使用者が温風暖房器１０の始動スイッチをＯＦＦすると、温風暖房器１０の消費電力が零になり、トイレルームの消費電力は７７６Ｗになる。
【００２６】
上記説明から分かるように、本実施例に係る電力制御装置１１は、或いは電力制御装置１１を備える手洗いキャビネット５は、トイレルーム内に配設された電気器具の合計電力を、トイレルーム使用者の快適感を極力損なうことなく、所定値以下に制御することができる。
本実施例に係る電力制御装置１１をトイレルーム内に配設してトイレルームの既設のコンセントＡに接続し、トイレ内に配設した温水洗浄便座２、電気温水器９、温風暖房器１０、自動水栓４ａを電力制御装置１１に接続するだけで、電気工事を要することなく、トイレルーム内に設置された電気器具の合計電力を１５００Ｗ以下に制御することができる。
【００２７】
トイレルーム使用者の快適感に与える影響の少ない電気器具である電気温水器９から優先的に電力供給制御を開始することにより、トイレルーム使用者の快適感を極力損なうことなく、トイレルーム内に設置される電気器具の合計電力を１５００Ｗ以下に制御することができる。
【００２８】
温水洗浄便座２の消費電力は、洗浄水温度の設定値、水道水温度、トイレルーム内温度等に応じて変化する。従って、電気温水器９への電力供給を停止して温風暖房器１０への電力供給を可変制御する際には、温水洗浄便座２と温風暖房器１０の合計電力が許容値になるように、温風暖房器１０への電力供給を可変制御すれば、温風温度の低下を極力抑制しトイレルーム使用者の快適感を極力毀損することなく、トイレルーム内に設置された電気器具の合計電力を１５００Ｗ以下に制御することができる。
【実施例２】
【００２９】
電力供給制御回路１１ｅが温風暖房器１０の電力供給を直接制御するのに代えて、電力供給制御回路１１ｅが温風暖房器１０の電力供給を間接制御するように電力制御装置１１を構成しても良い。
図３に一点鎖線で示すように、コンセント１１ｂを電力供給制御回路１１ｅに接続するのに代えて、コンセント１１ｂを配線１１ｄに接続し、電力供給制御回路１１ｅを通信コネクタ１１ｈと通信用ハーネス１０ｂとを介して温風暖房器１０に接続し、図示しない消費電力制御回路を温風暖房器１０に配設する。
上記構成の電力制御装置１１においては、電力供給制御回路１１ｅは、温風暖房器１０の消費可能電力量を、通信コネクタ１１ｈと通信用ハーネス１０ｂとを介して温風暖房器１０の消費電力制御回路に通信し、消費電力制御回路が、受信した消費可能電力量に基づいて温風暖房器１０の消費電力を可変制御する。消費電力制御回路を有する温風暖房器が市場に提供されているので、当該温風暖房器を使用する際には上記構成が有利である。
【実施例３】
【００３０】
電気温水器９への電力供給を停止中であることを表示する表示器を、手洗キャビネット５に追加配設しても良い。
温風暖房器１０への電力供給を可変制御中であることを表示する表示器を、手洗キャビネット５に追加配設しても良い。
電気温水器９への電力供給を停止中であることを表示し、或いは温風暖房器１０への電力供給を可変制御中であることを表示して、こられの電気器具が故障したのではないことをトイレルーム使用者に告知することにより、不信感から生ずるトイレルーム使用者の快適感の毀損を防止することができる。
【００３１】
電気温水器９への電力供給を停止する際のトイレルーム合計電力の閾値よりも、電気温水器９への電力供給を再開する際のトイレルーム合計電力の閾値を低く設定しても良い。
電気温水器９への電力供給を停止した後、所定時間が経過するまで電気温水器９への電力供給を再開しないように電力供給制御回路１１ｅを構成しても良い。
電気温水器９への電力供給を停止する際のトイレルーム合計電力の閾値よりも、電気温水器９への電力供給を再開する際のトイレルーム合計電力の閾値を低く設定し、或いは電気温水器９への電力供給を停止した場合には、所定時間が経過するまで電気温水器９への電力供給を再開させないことにより、電気温水器９への電力供給のＯＮ／ＯＦＦが頻繁に繰り返されて強制ＯＦＦ用リレー１１ｇが劣化する事態の発生が防止される。
【産業上の利用可能性】
【００３２】
本発明は、電力制御装置に広く利用可能である。
【図面の簡単な説明】
【００３３】
【図１】本発明の第１実施例に係る電力制御装置が配設されたトイレルームの斜視図である。
【図２】本発明の第１実施例に係る電力制御装置のブロック図である。
【図３】本発明の第１実施例に係る電力制御装置の回路図である。
【図４】本発明の第１実施例に係る電力制御装置の作動のタイムチャートである。
【符号の説明】
【００３４】
１  水洗便器
２  温水洗浄便座
３  大便器キャビネット
４  手洗器
４ａ  自動水栓
５  手洗キャビネット
５ａ  温風吹出口
６  カウンター
７  ダクト
９  電気温水器
１０  温風暖房器
１１  電力制御装置
１１ａ、１１ｂ、１１ｃ  コンセント
１１ｅ  電力供給制御回路
１１ｆ  電流センサー
１１ｇ  強制ＯＦＦ用リレー
１１ｈ  通信コネクタ
１５  ヒータ
１６  床暖房器
１７  室内灯
１８  換気扇
Ａ  既設のコンセント
【図１】
2007020290.tif 000003
【図２】
2007020290.tif 000004
【図３】
2007020290.tif 000005
【図４】
2007020290.tif 000006